【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
画像形成装置であって、
像担持体と、
前記像担持体に形成された静電像を現像する位置に向けてトナーとキャリアを含む現像剤を担持搬送する現像回転体と、前記現像回転体の内部に非回転に固定配置され、複数の磁極を有し、前記像担持体に形成された静電像を現像する位置を通過した前記現像剤を前記現像回転体の外周面から剥離させるための磁界を発生するマグネットと、導電性部材と、を有する現像装置と、
前記導電性部材に直流電圧のみを印加し、且つ前記現像回転体に直流電圧のみを印加するバイアス印加部と、を備え、
前記複数の磁極は、
前記像担持体に形成された静電像を現像する位置に最も近接して配置された第１の磁極と、
前記現像回転体の回転方向に関して、前記第１の磁極よりも回転方向下流に配置された第２の磁極と、
前記現像回転体の回転方向に関して、前記第１の磁極よりも回転方向上流であって、且つ、前記第２の磁極よりも回転方向下流において前記第２の磁極と隣り合うように配置された、前記第２の磁極と同極である第３の磁極と、を含み、
前記導電性部材は、前記現像回転体の回転方向に関して、前記像担持体に形成された静電像を現像する位置よりも回転方向下流であって、且つ、前記第２の磁極よりも回転方向上流における前記現像回転体の外周面に対向配置されており、
前記バイアス印加部は、画像形成時において、前記導電性部材に印加される直流電圧が前記トナーの正規の帯電極性と同極性であり、且つ、前記現像回転体に印加される直流電圧が前記トナーの正規の帯電極性と同極性であって、前記導電性部材に印加される直流電圧の絶対値が前記現像回転体に印加される直流電圧の絶対値よりも大きくなるように、前記導電性部材に直流電圧のみを印加し、且つ、前記現像回転体に直流電圧のみを印加する、
ことを特徴とする画像形成装置。
【請求項２】
電力供給源を備え、
前記バイアス印加部は、前記電力供給源と前記導電性部材と前記現像回転体とが電気的に直列に接続された電気回路を備え、
前記電気回路には、前記導電性部材と前記現像回転体との間に第１の抵抗部材が設けられ、且つ、前記現像回転体とアースとの間に第２の抵抗部材が設けられている、
ことを特徴とする請求項１に記載の画像形成装置。
【請求項３】
前記第１の抵抗部材は、抵抗値を変更可能な可変抵抗である、
ことを特徴とする請求項２に記載の画像形成装置。
【請求項４】
前記導電性部材は、前記現像回転体の回転軸線方向に沿って設けられており、
前記現像回転体の回転軸線方向における前記導電性部材の長さは、前記現像回転体の回転軸線方向における前記現像回転体の現像剤搬送能力の在る領域の長さよりも長い、
ことを特徴とする請求項１乃至３のいずれか１項に記載の画像形成装置。
【請求項５】
前記現像回転体の外周面には、前記現像回転体の回転軸線方向に沿って複数の溝部が形成されており、
前記複数の溝部は、前記現像回転体の回転方向における前記現像回転体の外周面の全域に亘って形成され、
前記複数の溝部のそれぞれは、前記現像回転体の回転方向における所定の間隔を介して形成されており、
前記現像回転体の現像剤搬送能力の在る領域は、前記現像回転体の前記複数の溝部が形成されている領域である、
ことを特徴とする請求項４に記載の画像形成装置。
【請求項６】
前記導電性部材は、表面が絶縁された電極である、
ことを特徴とする請求項１乃至５のいずれか１項に記載の画像形成装置。
【請求項７】
画像形成装置であって、
像担持体と、
トナーとキャリアを含む現像剤を収容する現像容器と、前記像担持体に形成された静電像を現像する位置に向けて前記像剤を担持搬送する現像回転体と、前記現像回転体の内部に非回転に固定配置され、複数の磁極を有し、前記像担持体に形成された静電像を現像する位置を通過した前記現像剤を前記現像回転体の外周面から剥離させるための磁界を発生するマグネットと、前記現像容器に固定して貼り付けられた板状の電極と、を有する現像装置と、を備え、
前記複数の磁極は、
前記像担持体に形成された静電像を現像する位置に最も近接して配置された第１の磁極と、
前記現像回転体の回転方向に関して、前記第１の磁極よりも回転方向下流側に配置された第２の磁極と、
前記現像回転体の回転方向に関して、前記第１の磁極よりも回転方向上流であって、且つ、前記第２の磁極よりも回転方向下流において前記第２の磁極と隣り合うように配置された、前記第２の磁極と同極である第３の磁極と、を含み、
前記板状の電極は、前記現像回転体の回転方向に関して、前記像担持体に形成された静電像を現像する位置よりも回転方向下流であって、且つ、前記第２の磁極よりも回転方向上流における前記現像回転体の外周面に対向配置されており、
画像形成時において、前記板状の電極には第１の直流電圧のみが印加され、前記現像回転体には第２の直流電圧のみが印加され、前記板状の電極に印加される前記第１の直流電圧は前記トナーの正規の帯電極性と同極性であり、且つ、前記現像回転体に印加される前記第２の直流電圧は前記トナーの正規の帯電極性と同極性であり、前記板状の電極に印加される前記第１の直流電圧の絶対値が前記現像回転体に印加される前記第２の直流電圧の絶対値よりも大きい、
ことを特徴とする画像形成装置。
【請求項８】
共通電源を備え、
前記共通電源は、前記板状の電極に前記第１の直流電圧を印加するための電力を供給し、且つ、前記現像回転体に前記第２の直流電圧を印加するための電力を供給する、
ことを特徴とする請求項７に記載の画像形成装置。
【請求項９】
前記共通電源と前記板状の電極と前記現像回転体とが電気的に直列に接続された電気回路を備え、
前記電気回路には、前記板状の電極と前記現像回転体との間に第１の抵抗部材が設けられ、且つ、前記現像回転体とアースとの間に第２の抵抗部材が設けられている、
ことを特徴とする請求項８に記載の画像形成装置。
【請求項１０】
前記第１の抵抗部材は、抵抗値を変更可能な可変抵抗である、
ことを特徴とする請求項９に記載の画像形成装置。
【請求項１１】
前記板状の電極は、前記現像回転体の回転軸線方向に沿って設けられており、
前記現像回転体の回転軸線方向における前記板状の電極の長さは、前記現像回転体の回転軸線方向における前記現像回転体の現像剤搬送能力の在る領域の長さよりも長い、
ことを特徴とする請求項７乃至１０のいずれか１項に記載の画像形成装置。
【請求項１２】
前記現像回転体の外周面には、前記現像回転体の回転軸線方向に沿って複数の溝部が形成されており、
前記複数の溝部は、前記現像回転体の回転方向における前記現像回転体の外周面の全域に亘って形成され、
前記複数の溝部のそれぞれは、前記現像回転体の回転方向における所定の間隔を介して形成されており、
前記現像回転体の現像剤搬送能力の在る領域は、前記現像回転体の前記複数の溝部が形成されている領域である、
ことを特徴とする請求項１１に記載の画像形成装置。
【請求項１３】
前記板状の電極は、前記板状の電極の表面が絶縁されている、
ことを特徴とする請求項７乃至１２のいずれか１項に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、現像剤を用いて静電像を現像する現像装置を備えた画像形成装置に関する。
【手続補正４】
【補正対象書類名】明細書
【補正対象項目名】０００７
【補正方法】変更
【補正の内容】
【０００７】
特許文献１の構成では、現像装置の空気排出経路に電圧を印加することにより、飛散トナーを除去するものである。一方、簡易な構成によって、画像形成時において、現像剤の飛散を低減することができる新たな構成が望まれている。
【手続補正５】
【補正対象書類名】明細書
【補正対象項目名】０００８
【補正方法】変更
【補正の内容】
【０００８】
第一の発明は、上記の課題に鑑みてなされたものである。第一の発明の目的は、簡易な構成によって、画像形成時において、正規の帯電極性を持つトナーを導電性部材側から現像回転体側へ移動させるための電界を形成することが可能な画像形成装置を提供することにある。
また、第二の発明は、上記の課題に鑑みてなされたものである。第二の発明の目的は、簡易な構成によって、画像形成時において、正規の帯電極性を持つトナーを板状の電極側から現像回転体側へ移動させるための電界を形成することが可能な画像形成装置を提供することにある。
【手続補正６】
【補正対象書類名】明細書
【補正対象項目名】０００９
【補正方法】変更
【補正の内容】
【０００９】
上記目的を達成するために第一の発明の一態様に係る画像形成装置は以下のような構成を備える。即ち、画像形成装置であって、像担持体と、前記像担持体に形成された静電像を現像する位置に向けてトナーとキャリアを含む現像剤を担持搬送する現像回転体と、前記現像回転体の内部に非回転に固定配置され、複数の磁極を有し、前記像担持体に形成された静電像を現像する位置を通過した前記現像剤を前記現像回転体の外周面から剥離させるための磁界を発生するマグネットと、導電性部材と、を有する現像装置と、前記導電性部材に直流電圧のみを印加し、且つ前記現像回転体に直流電圧のみを印加するバイアス印加部と、を備え、前記複数の磁極は、前記像担持体に形成された静電像を現像する位置に最も近接して配置された第１の磁極と、前記現像回転体の回転方向に関して、前記第１の磁極よりも回転方向下流に配置された第２の磁極と、前記現像回転体の回転方向に関して、前記第１の磁極よりも回転方向上流であって、且つ、前記第２の磁極よりも回転方向下流において前記第２の磁極と隣り合うように配置された、前記第２の磁極と同極である第３の磁極と、を含み、前記導電性部材は、前記現像回転体の回転方向に関して、前記像担持体に形成された静電像を現像する位置よりも回転方向下流であって、且つ、前記第２の磁極よりも回転方向上流における前記現像回転体の外周面に対向配置されており、前記バイアス印加部は、画像形成時において、前記導電性部材に印加される直流電圧が前記トナーの正規の帯電極性と同極性であり、且つ、前記現像回転体に印加される直流電圧が前記トナーの正規の帯電極性と同極性であって、前記導電性部材に印加される直流電圧の絶対値が前記現像回転体に印加される直流電圧の絶対値よりも大きくなるように、前記導電性部材に直流電圧のみを印加し、且つ、前記現像回転体に直流電圧のみを印加する、ことを特徴とする画像形成装置である。
また、上記目的を達成するために第二の発明の一態様に係る画像形成装置は以下のような構成を備える。即ち、画像形成装置であって、像担持体と、トナーとキャリアを含む現像剤を収容する現像容器と、前記像担持体に形成された静電像を現像する位置に向けて前記像剤を担持搬送する現像回転体と、前記現像回転体の内部に非回転に固定配置され、複数の磁極を有し、前記像担持体に形成された静電像を現像する位置を通過した前記現像剤を前記現像回転体の外周面から剥離させるための磁界を発生するマグネットと、前記現像容器に固定して貼り付けられた板状の電極と、を有する現像装置と、を備え、前記複数の磁極は、前記像担持体に形成された静電像を現像する位置に最も近接して配置された第１の磁極と、前記現像回転体の回転方向に関して、前記第１の磁極よりも回転方向下流側に配置された第２の磁極と、前記現像回転体の回転方向に関して、前記第１の磁極よりも回転方向上流であって、且つ、前記第２の磁極よりも回転方向下流において前記第２の磁極と隣り合うように配置された、前記第２の磁極と同極である第３の磁極と、を含み、前記板状の電極は、前記現像回転体の回転方向に関して、前記像担持体に形成された静電像を現像する位置よりも回転方向下流であって、且つ、前記第２の磁極よりも回転方向上流における前記現像回転体の外周面に対向配置されており、画像形成時において、前記板状の電極には第１の直流電圧のみが印加され、前記現像回転体には第２の直流電圧のみが印加され、前記板状の電極に印加される前記第１の直流電圧は前記トナーの正規の帯電極性と同極性であり、且つ、前記現像回転体に印加される前記第２の直流電圧は前記トナーの正規の帯電極性と同極性であり、前記板状の電極に印加される前記第１の直流電圧の絶対値が前記現像回転体に印加される前記第２の直流電圧の絶対値よりも大きい、ことを特徴とする画像形成装置である。
【手続補正７】
【補正対象書類名】明細書
【補正対象項目名】００１０
【補正方法】変更
【補正の内容】
【００１０】
第一の発明によれば、簡易な構成によって、画像形成時において、正規の帯電極性を持つトナーを導電性部材側から現像回転体側へ移動させるための電界を形成することができる。
第二の発明によれば、簡易な構成によって、画像形成時において、正規の帯電極性を持つトナーを板状の電極側から現像回転体側へ移動させるための電界を形成することができる。